(57)【特許請求の範囲】
【請求項１】
下面に吸込口を有する吸込具本体と、前記吸込口に臨ませて吸込口本体に回転自在に支持された回転ブラシと、前記吸込具本体に内蔵され、回転ブラシを回転駆動するモータと、前記吸込具本体に設けられ、吸込具本体の上下反転時モータを停止する安全スイッチとを備え、前記安全スイッチを、前記モータをオンオフ制御するスイッチと、前記吸込具本体に移動可能に支持され、吸込具本体底面から突出して被掃除面への接地状態を検出する検出部の突出量に応じてスイッチを操作する操作体と、該操作体に設けられたストッパ片を囲繞するガイド部と、該ガイド部内に吸込具本体の上下反転操作に連動して移動可能に設けられた移動体とから構成し、吸込具本体の上下順向き状態において移動体がストッパ片に当接しない位置に移動して操作体のスイッチの操作を可能とすると共に、吸込具本体の上下反転操作時に移動体がストッパ片に当接する位置に移動して操作体のスイッチの操作を阻止する床用吸込具において、
前記ストッパ片を略Ｕ字状に形成すると共に、前記ガイド部に、移動体がストッパ片のＵ字状凹所内に入り込むのを阻止する阻止手段を設けたことを特徴とする床用吸込具。
【発明の詳細な説明】
【０００１】
【産業上の利用分野】
本発明は、電気掃除機に接続される床用吸込具に係わり、特に、絨緞等に付着したゴミを掻き出すための回転ブラシを備えた床用吸込具に関する。
【０００２】
【従来の技術】
従来、吸込具本体を上下反転操作した際、回転ブラシ駆動用モータを停止させる安全スイッチを備えた床用吸込具が、例えば特開平７−６７８１４号公報（Ａ４７Ｌ  ９／０４）にて知られている。
【０００３】
この従来技術を図１５乃至図２７に基づいて説明すると、３１は下面に吸込口３２を形成した吸込具本体で、図示しない回転ブラシを吸込口３２に臨ませた状態で回転自在に支持している。回転ブラシは吸込具本体３１に内蔵された図示しないモータにより回転駆動され、吸込具本体３１に内蔵された安全スイッチ３３が吸込具本体３１の上下反転操作検出時、モータを停止するようになっている。
【０００４】
安全スイッチ３３を詳述すると、３４は軸３５を吸込具本体３１に回転自在に軸支した操作体で、回転ローラ３６を回転自在に軸支するブラケット３７と、後述するスイッチ４４を操作する操作片３８と、軸３５の一端側に突設された略Ｕ字状のストッパ片３９と、軸３５の他端に設けられ回転ローラ３６を吸込具本体３１底面から突出する方向に付勢するバネ４０とを備えている。４１は回転ローラ３６の上方を被うカバー体で、ストッパ片３９に対応する位置にガイド部４２を有している。４３はガイド部４２内に配設されるボールで、吸込具本体３１の上下反転操作に連動して移動するようになっている。４４はカバー体４１に装着されたスイッチで、操作片３８により操作され、モータをオンオフ制御するようになっている。
【０００５】
而して、掃除機本体に可撓性ホースを介して接続される延長管の先端に吸込具本体３１を接続して掃除を行うのであるが、この状態で、吸込具本体３１を被掃除面に接地させると、図１８及び図１９に示すごとく、バネ４０の付勢力に抗して回転ローラ３６が被掃除面によって押し上げられて操作体３４が回転し、操作体３４の回転に伴って操作片３８がスイッチ４４をオン状態としてモータを回転させて回転ブラシを駆動する。この状態では、ボール４３は図１８に示すごとく、ストッパ片３９の凹所に位置している。
【０００６】
掃除場所を移動する場合など、吸込具本体３１を被掃除面から離間すると、図２０及び図２１に示すごとく、回転ローラ３６がバネ４０の付勢力により吸込具本体３１底面から突出し、それに伴う操作体３４の回転により操作片３８がスイッチ４４から離間してスイッチ４４がオフ状態となり、モータが停止する。
【０００７】
吸込具本体３１を上下反転操作した際には、図２２及び図２３に示すごとく、ボール４３が吸込具本体３１の上下反転操作に連動してガイド部４２の壁面と吸込具本体３１上面に当接した位置へと移動する。この状態で、誤って回転ローラ３６を押し下げる方向に操作しても、ストッパ片３９先端がボール４３に当接して操作体３４の回転が阻止され、操作片３８がスイッチ４４から離間した状態を維持し、不用意に回転ブラシが回転することがないようになっている。
【０００８】
しかしながら、吸込具本体３１を上下反転操作する場合には、吸込具本体３１の接続管を中心として回転させる場合、図２５に示すように、吸込具本体３１の幅方向を軸として前方側を上方向に回転させる場合、及び図２７に示すように、吸込具本体３１の幅方向を軸として前方側を下方に回転させる場合の３通りが考えられ、吸込具本体３１の幅方向を軸として回転させる２通りの場合において、ボール４３の動作が異なる問題がある。
【０００９】
即ち、図２５に示すように、吸込具本体３１の幅方向を軸として前方側を上方に回転させる場合には、ボール４３は図２４に示すごとく、ガイド部４２の壁面にそって吸込具本体３１上面側に移動するため、９０度以上回転させた状態でガイド部４２の壁面と吸込具本体３１上面に当接した位置へ移動し、回転ブラシの駆動を防止することができる。しかしながら、図２７に示すごとく、吸込具本体３１の幅方向を軸として前方側を下方に回転させる場合には、ボール４３は図２６に示すごとく、ストッパ片３９の凹所に填まり込み、さらに回転させた状態で、ストッパ片３９凹所の遊端側の傾斜にそって移動するため、吸込具本体３１をほぼ上下反転する状態まで回転させなければ、ボール４３がストッパ片３９の回転を阻止する位置まで移動しない。
【００１０】
このように、吸込具本体３１を回転させる方向によって、安全スイッチ３３が作動する角度が異なり、信頼性に欠ける問題があった。
【００１１】
【発明が解決しようとする課題】
本発明は、上記欠点に鑑みなされたもので、吸込具本体を回転させる方向に係わりなく、確実に安全スイッチを作動させ得る吸込具を提供することを課題とする。
【００１２】
【課題を解決するための手段】
本発明は、上記課題を解決するため、ストッパ片を囲繞するガイド部に、移動体がストッパ片の略Ｕ字状凹所内に入り込むのを阻止する阻止手段を設けたことを特徴とする。
【００１３】
【作用】
吸込具本体を上下反転操作した際には、移動体が吸込具本体の反転に伴って移動する。この状態で、検出部を操作しても、ストッパ片が移動体に当接して操作体の移動が阻止され、操作体のスイッチの操作が阻止されて回転ブラシの駆動が阻止される。
【００１４】
この吸込具本体の上下反転操作において、阻止手段によって移動体がストッパ片の略Ｕ字状凹所内に入り込むのを阻止しているので、吸込具本体をどの方向に回転させても、ほぼ同じ角度回転させた状態で移動体が操作体の移動を阻止する位置に移動し、回転ブラシの回転が阻止される。
【００１５】
【実施例】
本発明の一実施例を図面に基づいて以下に詳述する。
【００１６】
図１４において、１は吸込具本体で、下面前方に吸込口２を形成した下ケース３と、該下ケース３の後方上部を被う上ケース４と、前記下ケース３の前方上部を開閉自在に閉塞する蓋体５とから構成されている。６は前記吸込具本体１の後方中央部に設けられ、下ケース３と上ケース４との間に回動自在に支持された接続管で、一端側が前記吸込口２に連通し、他端側が掃除機本体に可撓製ホース及び延長管を介して接続されるようになっている。７は前記吸込具本体１底面後方に回転自在に軸支された後車輪、８は前記吸込具本体１底面前方に回転自在に軸支された前車輪である。
【００１７】
９は前記吸込具本体１に回転自在に支持された回転ブラシで、前記吸込口２に臨ませて配置されている。１０は前記吸込具本体１の下ケース３と上ケース４とで囲まれる空間に配設されるモータで、前記回転ブラシ９との間にベルト１１を架設し、回転ブラシ９を回転駆動するようになっている。１２は前記吸込具本体１の下ケース３と上ケース４とで囲まれる空間に配設される安全スイッチである。
【００１８】
前記安全スイッチ１２を図１乃至図１３に基づいて詳述する。
【００１９】
１３は合成樹脂製の操作体で、軸１４を吸込具本体１と後述するカバー体２１との間で回転自在に軸支している。１５は前記操作体１３の軸１４の一端側に設けられたブラケットで、回転ローラ１６を回転自在に軸支する軸支部１７を有している。１８は前記操作体１３の軸１４の中央部に設けられたバネ受け部で、後述するカバー体２１との間に図示しないバネを架設し、バネにより操作体１３を回転ローラ１６が吸込具本体１底面から突出する方向に付勢している。１９は前記操作体１３の軸１４の他端側に設けられた略Ｕ字状のストッパ片、２０は前記操作体１３の軸１４の他端に設けられた操作片で、吸込具本体１を被掃除面に接地した際回転ローラ１６が被掃除面に押し上げられるのに伴って回転し、後述するスイッチ２９を操作するようになっている。
【００２０】
２１は前記操作体１３のブラケット１５、バネ受け部１８及びストッパ片１９を被う合成樹脂製のカバー体で、外周方向に延設した取付部２２を、吸込具本体１底面から立設した図示しないピンに嵌合して吸込具本体１に固定するようになっている。２３は前記カバー体２１の操作片２０に対応する位置に形成された装着部で、後述するスイッチ２９が装着されるようになっている。２４は前記カバー体２１の上面に形成された基板取付部で、モータ１０を制御する図示しない制御基板が装着されるようになっている。
【００２１】
25は前記カバー体21に形成された上面開口の筒状部で、前記操作体13のストッパ片19を囲繞し、その上面開口に、上ケース４に形成した当接リブ26を対向させており、筒状部25と当接リブ26により後述するボール28を上下方向に案内するガイド部を構成している。27は前記筒状部25内を２室に区画する阻止リブで、一方の室に位置するストッパ片19の凹所に位置し、ストッパ片19に当接して操作体13の回動を妨げない高さに形成されており、後述するボール28がストッパ片19の凹所内に入り込まないようにしている。
【００２２】
２８は前記筒状部２５の他方の室に上下動自在に配置されるボール、２９は前記装着部２３に装着されるスイッチで、モータ１０をオンオフ制御するようになっている。
【００２３】
而して、可撓性ホース先端、あるいは延長管先端に接続管６を接続して掃除を行うのであるが、この状態で、吸込具本体１を被掃除面に接地させると、図５及び図６に示すごとく、バネの付勢力に抗して回転ローラ１６が被掃除面によって押し上げられて操作体１３が回転し、操作体１３の回転に伴って操作片２０がスイッチ２９をオン状態としてモータ１０を回転させて回転ブラシ９を駆動する。尚、この状態では、ボール２８は図５に示すごとく、ストッパ片１９の凹所に位置している。
【００２４】
掃除場所を移動する場合など、吸込具本体１を被掃除面から離間すると、図７及び図８に示すごとく、回転ローラ１６がバネの付勢力により吸込具本体１底面から突出し、それに伴う操作体１３の回転により操作片２０がスイッチ２９から離間してスイッチ２９がオフ状態となり、モータ１０が停止する。この状態では、ストッパ片１９は図７に示すごとく、筒状部２５の一方の室側へ回動し、ボール２８の上方向への移動を妨げない状態となっている。
【００２５】
吸込具本体１を上下反転操作した際には、図９及び図１０に示すごとく、ボール２８が自重によって筒状部２５の壁面と上ケース５の当接リブ２６に当接した位置へと移動する。この状態で、誤って回転ローラ１６を押し下げる方向に操作しても、ストッパ片１９先端がボール２８に当接して操作体１３の回転が阻止され、操作片２０がスイッチ２９から離間した状態を維持し、不用意に回転ブラシ９が回転するのを防止する。
【００２６】
上述した吸込具本体１の上下反転操作において、図４に示すごとく、吸込具本体１の幅方向を軸として、図中に矢視した如く、前方側を上方に回転させた場合には、ボール２８は、図３に矢視したように、自重によって筒状部２５の壁面にそって吸込具本体１上面側に移動する。
【００２７】
また、図２に示すごとく、吸込具本体１の幅方向を軸として、図中に矢視した如く、前方側を下方に回転させた場合には、ボール２８は、図１に矢視したように、自重によって筒状部２５の阻止リブ２７によってストッパ片１９の凹所に入り込むのが阻止され、阻止リブ２７にそって吸込具本体１上面側に移動する。
【００２８】
以上の如く、吸込具本体１の上下反転操作において、吸込具本体１をどの方向に回転させても、ほぼ同じ角度回転させた状態でボール２８が移動して操作体１３の回動を阻止し、回転ブラシ９の回転を阻止することができ、信頼性を向上することができる。
【００２９】
また、安全スイッチ１２は従来と同様の工程で組み立てることができ、構成及び組立て工程が複雑化することもない。
【００３０】
【発明の効果】
以上の如く、本発明の構成によれば、簡単な構成で、吸込具を上下反転させた際の安全性を向上させることができる等の効果を奏する。
【図面の簡単な説明】
【図１】本発明の一実施例の吸込具前方側を下方に回転させて吸込具を上下反転させた際の要部拡大断面図である。
【図２】同吸込具前方側を下方に回転させて吸込具を上下反転させる状態を示す吸込具の側面図である。
【図３】同吸込具前方側を上方に回転させて吸込具を上下反転させた際の要部拡大断面図である。
【図４】同吸込具前方側を上方に回転させて吸込具を上下反転させる状態を示す吸込具の側面図である。
【図５】同吸込具を被掃除面に接地した状態の要部拡大断面図である。
【図６】同吸込具を被掃除面に接地した状態の要部拡大図である。
【図７】同吸込具を被掃除面から離間した状態の要部拡大断面図である。
【図８】同吸込具を被掃除面から離間した状態の要部拡大図である。
【図９】同吸込具を上下反転させた状態の要部拡大断面図である。
【図１０】同吸込具を上下反転させた状態の要部拡大図である。
【図１１】同操作体の平面図である。
【図１２】同カバー体の上面図である。
【図１３】同カバー体の側面図である。
【図１４】同上ケース、蓋体及びカバー体を取り外した状態を示す吸込具の上面図である。
【図１５】従来例を示す要部拡大図である。
【図１６】同操作体の平面図である。
【図１７】同カバー体の平面図である。
【図１８】同吸込具を被掃除面に接地した状態の要部拡大断面図である。
【図１９】同吸込具を被掃除面に接地した状態の要部拡大図である。
【図２０】同吸込具を被掃除面から離間した状態の要部拡大断面図である。
【図２１】同吸込具を被掃除面から離間した状態の要部拡大図である。
【図２２】同吸込具を上下反転させた状態の要部拡大断面図である。
【図２３】同吸込具を上下反転させた状態の要部拡大図である。
【図２４】同吸込具前方側を上方に回転させて吸込具を上下反転させた際の要部拡大断面図である。
【図２５】同吸込具前方側を上方に回転させて吸込具を上下反転させる状態を示す吸込具の側面図である。
【図２６】同吸込具前方側を下方に回転させて吸込具を上下反転させた際の要部拡大断面図である。
【図２７】同吸込具前方側を下方に回転させて吸込具を上下反転させる状態を示す吸込具の側面図である。
【符号の説明】
１                    吸込具本体
２                    吸込口
９                    回転ブラシ
１０                    モータ
１２                    安全スイッチ
１３                    操作体
１４                    軸
１５                    ブラケット
１６                    回転ローラ
１７                    軸支部
１８                    バネ受け部
１９                    ストッパ片
２０                    操作片
２１                    カバー体
２５                    筒状部
２６                    当接リブ
２７                    阻止リブ
２８                    ボール
２９                    スイッチ
【図１】
0003561553.tif 000002
【図２】
0003561553.tif 000003
【図３】
0003561553.tif 000004
【図４】
0003561553.tif 000005
【図５】
0003561553.tif 000006
【図６】
0003561553.tif 000007
【図７】
0003561553.tif 000008
【図８】
0003561553.tif 000009
【図９】
0003561553.tif 000010
【図１０】
0003561553.tif 000011
【図１１】
0003561553.tif 000012
【図１２】
0003561553.tif 000013
【図１３】
0003561553.tif 000014
【図１４】
0003561553.tif 000015
【図１５】
0003561553.tif 000016
【図１６】
0003561553.tif 000017
【図１７】
0003561553.tif 000018
【図１８】
0003561553.tif 000019
【図１９】
0003561553.tif 000020
【図２０】
0003561553.tif 000021
【図２１】
0003561553.tif 000022
【図２２】
0003561553.tif 000023
【図２３】
0003561553.tif 000024
【図２４】
0003561553.tif 000025
【図２５】
0003561553.tif 000026
【図２６】
0003561553.tif 000027
【図２７】
0003561553.tif 000028